(57)【特許請求の範囲】
【請求項１】
扉の自由側端縁部内外面に夫々固定された縦長の台座に、夫々縦長の室内側及び室外側のハンドルを上下で対を成す連係機構で可動に支持するものであって、各連係機構は同長の第１アーム及び第２アームをＸ字形に交差させ、中央部を中央枢軸で開閉可能に枢着し、第１アームの基端を第１枢軸で台座に枢着すると共に、第１アームの先端をハンドルに対し揺動方向及び垂直方向の変位が許容できるように係着し、一方、第２アームの先端を第２枢軸でハンドルに枢着すると共に、第２アームの基端を台座に対し揺動方向及び垂直方向の変位が許容できるように係着し、各連係機構の第１枢軸に捩りばねを巻装し、その一端を台座に、他端を中央枢軸に夫々掛け止めると共に、中央枢軸に印加される弾力を、室内側及び室外側のハンドルの一方においてはハンドルが台座に近接する方向に、他方においてはハンドルが台座から離間する方向に設定し、他方、室内側及び室外側の対を成す連係機構の一方の第１アームを作用部材を介してラッチ錠のラッチに連係させたことを特徴とする扉のハンドル装置。
【請求項２】
一対の連係機構の上下の第２アームにおける基端の垂直方向の変動を連動させるため、それぞれの第２アームに取り付けた、垂直方向に可動にされた上下の連結片の間をロッドで接続したことを特徴とする請求項１記載の扉のハンドル装置。
【発明の詳細な説明】
【０００１】
【産業上の利用分野】
この発明は扉のハンドル装置に関する。更に詳しくは、扉に設けられたラッチ錠を操作できる可動型のハンドル装置に関する。
【０００２】
【従来の技術】
従来のこの種の扉のハンドル装置としては、例えば実開平４−２７０６９号公報に示されたものを挙げることができる。そのハンドル装置は、縦長状に形成したハンドルの下端部或は上端部である一端を、扉の表面に取付ける下部或いは上部の座に枢支し、上記ハンドルの上端部或は下端部である他端を、上部或は下部の座内に臨ませ、その座内部に回動自在に設けられた作動片に係合させ、上記ハンドルを扉面に対して垂直方向であって、扉の開放方向に押し或は引いて、上記作動片を回動させるように設けると共に、その作動片の先端部を扉錠のラッチ操作部材に係合させ、ハンドルを押し或は引いて扉錠のラッチを後退させると共に開扉するように構成したものである。
【０００３】
【発明が解決しようとする課題】
しかしながら、前記の従来装置によれば、縦長のハンドルは一端のみが枢支され、他端が前後に揺動するようにしてあるから、枢軸の近くでハンドルを握った場合と枢軸から離れた位置でハンドルを握った場合とでは、モーメントの関係でハンドルを押し又は引く際に要する操作力に差が生ずるところとなり、ハンドル操作がスムーズに行かなくなることがある。
【０００４】
この発明の扉のハンドル装置は、縦長のハンドルをどの位置で握ってもほぼ等しい操作力でスムーズに操作できるようにしたものである。
【０００５】
【課題を解決するための手段】
上記の目的を達成するため、この発明の扉のハンドル装置は、扉の自由側端縁部内外面に夫々固定された縦長の台座に、夫々縦長の室内側及び室外側のハンドルを上下で対を成す連係機構で可動に支持するものであって、各連係機構は同長の第１アーム及び第２アームをＸ字形に交差させ、中央部を中央枢軸で開閉可能に枢着し、第１アームの基端を第１枢軸で台座に枢着すると共に、第１アームの先端をハンドルに対し揺動方向及び垂直方向の変位が許容できるように係着し、一方、第２アームの先端を第２枢軸でハンドルに枢着すると共に、第２アームの基端を台座に対し揺動方向及び垂直方向の変位が許容できるように係着し、各連係機構の第１枢軸に捩りばねを巻装し、その一端を台座に、他端を中央枢軸に夫々掛け止めると共に、中央枢軸に印加される弾力を、室内側及び室外側のハンドルの一方においてはハンドルが台座に近接する方向に、他方においてはハンドルが台座から離間する方向に設定し、他方、室内側及び室外側の対を成す連係機構の一方の第１アームを作用部材を介してラッチ錠のラッチに連係させたことを特徴とする。
【０００６】
【発明の実施の形態】
以下、図面に示す実施例に基づいてこの発明について説明する。
この発明のハンドル装置は、出入口としての扉１０に設けるときは室外側及び室内側の両表面に取り付けるのが普通である。
【０００７】
図示の実施例において、ハンドル装置は扉１０の内外両表面に取り付けられている。内外一対のハンドル装置における台座１、１は雌ねじと雄ねじとから成る取り付けねじ９１で扉１０の表面に呼び付けて固定するとよい。
【０００８】
ここでは、扉１０の室外側（図１で左側）の表面に装着したハンドル装置を代表させて説明する。但し、図１において、ハンドル装置の下半部は上半部とほぼ同等の構造をなしているので、その記載は省略してある。
【０００９】
扉１０の表面に固定した台座１には縦長のハンドル２を上下で対をなす連係機構３、３で可動に支持させる。各連係機構３は、同長の第１アーム３１及び第２アーム３２を備えている。
【００１０】
第１アーム３１は板状をなし、第２アーム３２は横断面コ字状をなす。そして、両アーム３１、３２は、後記の第１受枠３３及び第２受枠３４内に側面Ｘ字状をなして組み込まれている。
【００１１】
ハンドル２における上下の取付部分２１、２１及び台座１における上下の取付部分１１、１１には、前記のアーム３１、３２及び後述する戻しばね５等を装着するため中空部がそれぞれ設けてある。
【００１２】
なお、符号３３は台座１の取付部分１１の中空部に止めねじ９２で固設した箱形の第１受け枠、３４はハンドル２の取付部分２１の中空部に止めねじ９２で固設した同じく箱形の第２受け枠である。
【００１３】
前記の第１アーム３１及び第２アーム３２はそれぞれの長さ方向の中央部において水平な中央枢軸３５で互いに揺動可能に枢着してある。
【００１４】
言い換えると、第１アーム３１及び第２アーム３２は側面がＸ字状をなすように枢着してある。なお、両アーム３１、３２について、基端とは台座１側を言い、先端とはハンドル２側を言う。
【００１５】
前記の第１アーム３１の基端は水平な第１枢軸３６で第１受け枠３３を介して台座１に枢着してあり、第１アーム３１の先端はハンドル２に対し第２受け枠３４を介して揺動方向及び垂直方向の変位が許容できるように係着してある。
【００１６】
第１アーム３１の先端の係着構造を更に具体的に示すと、第１アーム３１の先端に固設したピン３８の両端は第２受枠３４に設けた垂直方向の長孔３９に対し可動に嵌め込んである。
【００１７】
他方、第２アーム３２の先端は水平な第２枢軸３７で第２受枠３４を介してハンドル２に枢着してあり、第２アーム３２の基端は台座１に対し第１受枠３３を介して揺動方向及び垂直方向の変位が許容できるように係着してある。
【００１８】
第２アーム３２の基端の係着構造を更に具体的に示すと、第２アーム３２の基端に固設したピン４１の両端は第１受枠３３に設けた垂直方向の長孔４２に対し可動に嵌め込んである。
【００１９】
第１アーム３１及び第２アーム３２を含む連係機構３、３は、上下で対をなして台座１とアーム２との間に装着されており、ハンドル２の押し引きにより、アーム２は台座１に対し平行にしてかつ水平方向に対し直線的に変移することになる。
【００２０】
符号５は台座１と第１アーム３１の中央枢軸３５との間に掛け渡された捩りばね等の戻しばねで、各連係機構３は手を離したときその戻しばね５の付勢力で非操作状態の平常位置に戻るようにしてある。
【００２１】
実施例においては、各ねじりばね５は第１枢軸３６の管体に巻装してあって、その一端は中央枢軸３５に掛け止めされ、他端は台座１に掛け止めされている。
【００２２】
そこで、ねじりばね５は台座１を基準として第１アーム３１及び第２アーム３２を介してハンドル２に所要の付勢力を付与することができる。
【００２３】
一方、上下で対をなす連係機構３、３の内の一方のものにおいては、第１アーム３１を扉１０内に装着されたラッチ錠２０のラッチ（図示しない）に作用部材３１ａを介して連係させる。
【００２４】
図示例の作用部材３１ａは、第１アーム３１から扉１０内のラッチ錠２０に向け一体に突設した水平な腕片で形成してあり、第１アーム３１及び作用部材３１ａの全体形は、側面において横向きのイ字状をなす。ラッチ錠２０に対し作用を付与する作用部材３１ａは第１アーム３１に対し別体として固定してもよい。
【００２５】
ハンドル２の押し引きの操作により、第１アーム３１が第１枢軸３６を回転の中心として揺動して、共に揺動する作用部材３１ａが矢印Ｄ方向に変位すると、前記のラッチを後退させ又はラッチの後退を許容させて開扉を可能とさせる。
【００２６】
なお、ここで用いられるラッチ錠２０のラッチは、直線的変位形式のものであっても、反転形式のものであってもよい。
【００２７】
図１及び図２において、符号７は上下一対の連係機構３、３と確実に同期させて作動させるために両者を接続させたロッドである。
【００２８】
このロッド７はこの発明において必要に応じて設けられるものであるが、連係機構３、３の一方のみが片利きしたりしないようにするためには、該ロッド７は設けておいた方がよい。
【００２９】
次に、図２において、ロッド７の連係機構３、３に対する取付構造を説明する（図１ではロッド７の取付構造の図示は省略してある）。
【００３０】
各第２アーム３２の基端に固定したピン４１には、第１受枠３３内で垂直方向に摺動可能にされた連結片６が取り付けてある。
【００３１】
各連結片６は一端に第１枢軸３６に対するＵ字状の案内溝６１を、他端に第２アーム３２のピン４１を可動に挿通させる嵌め孔６２を有し、第２アーム３２が揺動した時、該連結片６は垂直方向のみに変位できるようにしてある。
【００３２】
そして、上下で対をなす連結片６、６の間は台座１の内側を通すようにしたロッド７で接続してある。符号９３はロッド７の端部と連結片６とを結合した止めねじを示す。
【００３３】
前記のロッド７の存在により、上下で対をなす連係機構３、３はそれらの一方がハンドル２により作動すれば、他方も必ず作動することになるので、ハンドル操作がより一層確実かつ円滑になる。
【００３４】
扉１０の室外側（図１で左側）に固定したハンドル装置の構造は以上に述べた通りである。
【００３５】
それと対称的に設けることができる他方のハンドル装置、すなわち、扉１０の室内側（図１で右側）の表面に装着したハンドル装置は、前述のものとは構造上次の部分が主として異なり、他の部分についてはほぼ同等であるから、更に詳しい説明は省略する。
【００３６】
扉１０を矢印Ｃ方向に向け開放させる時、ハンドル２は矢印Ｂ方向に向けて押し開くと、使い勝手が良いので、戻しばね５はハンドル２が台座１から遠ざかる方向に付勢させてある。
【００３７】
また、ハンドル２が操作される時、ハンドル２は台座１に対し平常位置より押し込まれるので、ハンドル２と台座１との間にはその押し込み分に足る逃げを要する。
【００３８】
図１で矢印Ｅは室内側におけるハンドル操作時の作用部材３１ａの揺動方向を示す。一体をなす第１アーム３１と作用部材３１ａは、ここでは全体として側面へ字状をなすように作られている。
【００３９】
次に、扉１０の室外側（図１で左側）の表面に装着したこの発明に係るハンドル装置の作用について説明する。
【００４０】
扉１０の閉鎖状態（図１の状態）において、ハンドル２を戻しばね５に抗して手で矢印Ａ方向に引くと、上下で対をなす連係機構３、３で支持されているハンドル２は垂直状態を保ちつつ水平にスムーズに移動変位する。
【００４１】
それは、図３に示すように、ロッド７によって相互に連結された上下の連係機構３、３のＸ字形のリンク機構の開脚度、すなわち第１及び第２アーム３１、３２の関係角度が同じになるように連動して作動するからである。
【００４２】
この際、第１アーム３１を枢支している第１枢軸３６及び第２アーム３２を枢支している第２枢軸３７は共に同一水平面上にあって垂直方向（上下方向）については変動がないから、ハンドル２は矢印Ａ方向の直線的移動が可能となる。
【００４３】
そして、第１アーム３１と共に矢印Ｄ方向に揺動する作用部材３１ａにより、ラッチ錠２０のラッチを係止状態から解除するので、そのままハンドル２を引き続ければ、扉１０は矢印Ｃ方向に開放させることができることになる（図３（Ａ）参照）。
【００４４】
逆に、扉１０を閉鎖させハンドル２から手を離せば、変位していた各部材は戻しばね５の付勢力により当初の平常位置に戻る（図３（Ｂ）参照）。
【００４５】
上記の第１アーム３１及び第２アーム３２はその揺動の際、それぞれの先端のハンドル２又は台座１に対する係合構成が枢軸３５、３６、３７と相俟って揺動範囲の制限をする。
【００４６】
扉１０の室内側（図１で右側）の表面に装着した他のハンドル装置は、それを操作して扉１０を開放させる時、ハンドル２を矢印Ｂ方向に押してラッチ錠２０におけるラッチの係止状態を解除するものであるが、その他の作動については、前述の室外側のハンドル装置に準ずるので説明を省略する。
【００４７】
【発明の効果】
以上に説明したこの発明の扉のハンドル装置は、上下で対をなす連係機構がそれぞれ側面でＸ字状をなすようにした２つの特殊なアームを備えているので、ハンドルを押し引き操作した時、該ハンドルは台座に対し平行にしてかつ直線的に変位することになり、上下方向でどの位置を握っても、ほぼ等しい操作力でスムーズに操作できるという効果を奏する。
【図面の簡単な説明】
【図１】  この発明の扉のハンドル装置の実施例を示す縦断部分側面図。
【図２】  上下一対の連係機構を２つの連結片を介して接続させたロッド部分を図１の実施例から取り外して示す拡大側面図。
【図３】  この発明の扉のハンドル装置の全体を示す線図的側面図で、（Ａ）は外側のハンドルが平常位置にある状態を、（Ｂ）は外側のハンドルが作動位置にある状態をそれぞれ示す。
【符号の説明】
１０  扉
２０  ラッチ錠
１  台座
２  ハンドル
３  連係機構
３１  第１アーム
３１ａ  作用部材
３２  第２アーム
３５  中央枢軸
３６  第１枢軸
３７  第２枢軸
５  戻しばね
６  連結片
７  ロッド
【図１】
0003661113.tif 000002
【図２】
0003661113.tif 000003
【図３】
0003661113.tif 000004